(57)【要約】【課題】光変調装置を構成する光学部品に対し側方から冷却風を吹付けることを現実的に可能とした投写型映像表示装置を提供すること。【解決手段】本発明に係る投写型映像表示装置は、光変調装置（具体的には液晶ライトバルブ２０，３０，４０）と、光合成装置（具体的にはクロスダイクロイックプリズム５０）と、投写レンズ６０とを備えている。また、本発明では、光変調装置を構成する光学部品の表面に沿って冷却風を吹き付ける複数の冷却風吹出口７２と、冷却風を送風するための冷却ファン７１と、冷却ファン７１と冷却風吹出口７２とを接続する送風ダクト７３とが設けられている。そして、複数の光変調装置のうちの少なくとも一つの光変調装置については、光学部品の表面における冷却すべき範囲に向けて冷却風を水平方向に吹き出すことができるように、冷却風吹出口７２が光変調装置の側方に形成されている。【選択図】図３
2012230333.tif 000002
【特許請求の範囲】
【請求項１】
複数の色光を、それぞれ画像情報に応じて光変調する複数の光変調装置と、
この複数の光変調装置からの色光を合成する光合成装置と、
この光合成装置で合成された光を拡大投写する投写レンズと、
前記光変調装置を構成する光学部品の表面に沿って冷却風を吹き付ける冷却風吹出口と、
前記光学部品への冷却風を送風するための冷却ファンと、
この冷却ファンの吹出口と前記冷却風吹出口とを接続する送風ダクトとを備え、
前記複数の光変調装置のうちの少なくとも一つの光変調装置については、前記光学部品の表面における冷却すべき範囲に向けて冷却風を水平方向に吹き出すことができるように、冷却風吹出口が光変調装置の側方に形成されている
ことを特徴とする投写型映像表示装置。
【請求項２】
請求項１記載の投写型映像表示装置において、
前記各光変調装置は、それぞれ個別の冷却ファンから送風ダクトを介して冷却風が供給されるように構成されている
ことを特徴とする投写型映像表示装置。
【請求項３】
請求項１又は２記載の投写型映像表示装置において、
前記複数の光変調装置のうちの少なくとも一つの光変調装置については、前記光学部品の表面における冷却すべき範囲に向けて冷却風を水平に吹き出すことができるように、冷却風吹出口が光変調装置の側方に形成されるとともに、前記複数の光変調装置のうちの少なくとも一つの光変調装置については、前記光学部品の表面における冷却すべき範囲に向けて冷却風を鉛直方向に吹き出すことができるように冷却風吹出口が光変調装置の上方又は下方に形成されている
ことを特徴とする投写型映像表示装置。
【請求項４】
請求項１又は２に記載の投写型映像表示装置において、
前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、さらに、各光変調装置の側方に、側面に冷却風吹出口が形成された鉛直方向のダクト部分が配置され、それぞれの光変調装置を構成する光学部品の表面に沿って冷却風が水平方向に吹き付けられるように構成されている
ことを特徴とする投写型映像表示装置。
【請求項５】
請求項１〜４の何れか１項に記載の投写型映像表示装置において、
前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、さらに、前記投写レンズにおける光軸と平行な方向に配置される光変調装置の内の一つにおいては、冷却風が前記冷却風吹出口から前記光学部品の表面における冷却すべき範囲に向けて水平方向に吹き付けられ、当該光学部品を冷却した後、前記投写レンズの側方に設けられた排気口より当該投写型映像表示装置の筐体の外部に排気されるように形成されている
ことを特徴とする投写型映像表示装置。
【請求項６】
請求項１〜４の何れか１項に記載の投写型映像表示装置において、
前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、
前記投写レンズにおける光軸と平行方向に配置される二つの光変調装置それぞれにおいて、冷却風が前記冷却風吹出口から前記光学部品の表面における冷却すべき範囲に向けて水平方向に吹き付けられ、当該光学部品を冷却した後、前記投写レンズの側方に設けられた排気口より当該投写型映像表示装置の筐体の外部に排排気されるように形成されている
ことを特徴とする投写型映像表示装置。
【請求項７】
請求項５又は６に記載の投写型映像表示装置において、
前記投写レンズの側方の排気口は、排気風が投写レンズから遠ざかる方向に向くように斜め方向に排気される
ことを特徴とする投写型映像表示装置。
【発明の詳細な説明】
【技術分野】
【０００１】
本発明は、投写型映像表示装置に係り、特に、光学部品を冷却風で冷却する冷却装置に関する。
【背景技術】
【０００２】
投写型映像表示装置は、一般に液晶パネル、偏光板などのように映像表示運転中に温度上昇する光学部品に対し、その表面に沿って冷却風を吹き付けて、この部品を冷却していた。この冷却風の吹き付け方としては、投写型映像表示装置を平坦な床面、机上面などに設置する正立投写設置した場合において、光学部品に対し鉛直方向、例えば下方向から冷却風を吹き付けるものと、側方から冷却風を吹き付けるものとがあった。前者のものとしては、例えば特許文献１があり、後者のものとしては例えば特許文献２がある。
【先行技術文献】
【特許文献】
【０００３】
【特許文献１】特開２０１０−６１００４号公報
【特許文献２】特開２００９−１５０９７５号公報
【発明の概要】
【発明が解決しようとする課題】
【０００４】
ところで、光学部品の表面において高温となる部分、すなわち冷却すべき範囲は、ランプ等の出射光の通る光学部品の中心から水平に長い縦横のアスペクトを持つ長方形の範囲となる。このため、冷却風を特許文献１に記載のように鉛直方向に冷却風を吹き出すものでは、風向きから見た冷却風の吹出し幅が、冷却風を特許文献２に記載のように側方に冷却風を吹き出すものに比し大きくなる。このため、照度向上に対応して冷却能力を増大させるべく吹出風速を増大させようとすると、前者のものが後者のものに比し風量を大きくしなければならなくなり、冷却風を送風するための冷却ファンが大型化する、消費動力が大きくなる等の問題があった。
【０００５】
一方、後者のものとすると、前者のものに比し冷却風の吹出し幅を小さくすることができるため、前者のものほどに風量を増大させる必要がなくなるという利点がある。ところが、前述の後者のものでは、冷却ファンの吹出口が直接冷却風の吹出口に接続されているため、冷却ファンの吹出口と光学部品に対する冷却風吹出口との調整が難しい、冷却ファンを投写レンズの横に配置しなければならないため、冷却ファンの配置スペースをとり難いという問題があり、実用化が困難であった。
【０００６】
本発明は、このような問題に鑑み成されたもので、光変調装置を構成する光学部品に対し側方から冷却風を吹付けることを現実的に可能とした投写型映像表示装置を提供することを目的とする。
【課題を解決するための手段】
【０００７】
請求項１に記載された発明に係る投写型映像表示装置は、複数の色光を、それぞれ画像情報に応じて光変調する複数の光変調装置と、この複数の光変調装置からの色光を合成する光合成装置と、この光合成装置で合成された光を拡大投写する投写レンズと、前記光変調装置を構成する光学部品の表面に沿って冷却風を吹き付ける複数の冷却風吹出口と、前記光学部品への冷却風を送風するための冷却ファンと、この冷却ファンの吹出口と前記冷却風吹出口とを接続する送風ダクトとを備え、前記複数の光変調装置のうちの少なくとも一つの光変調装置については、前記光学部品の表面における冷却すべき範囲に向けて冷却風を水平方向に吹き出すことができるように、冷却風吹出口が光変調装置の側方に形成されていることを特徴とする。
【０００８】
上記構成によれば、複数の光変調装置のうちの少なくとも一つの光変調装置については、光学部品の表面における冷却すべき範囲に向けて冷却風を水平方向に吹き出すことができるように、冷却風吹出口が光変調装置の側方に形成されているので、冷却風が鉛直方向に吹き出される場合に比較して速い風速の吹出空気を得ることができる。したがって、少なくとも一つの光変調装置については、冷却風吹出口からの吹き出し風速を増大させても冷却ファンの大型化や、消費動力の増加を抑制することができる。また、冷却ファンと光学部品への冷却風吹出口との間が送風ダクトで接続されているので、送風ダクトの形状や配置を変更することで冷却ファンを光学系機器の上部、下部あるいは側部など当該投写型映像表示装置の筐体内の構造に合わせた位置、向きで設置することができる。また、冷却ファンと光学部品への冷却風吹出口との間が送風ダクトで接続されているので、この送風ダクトの形状を途中で変化させることにより、冷却ファンの吹出口を冷却風吹出口へ無理なく整合させることができるので、冷却ファンからの冷却風の送風抵抗を低減することができる。
【０００９】
請求項２に記載の発明は、請求項１記載の投写型映像表示装置において、前記各光変調装置は、それぞれ個別の冷却ファンから送風ダクトを介して冷却風が供給されるように構成されていることを特徴とする。
【００１０】
上記構成によれば、光変調装置毎に冷却ファンが設けられるので、各光変調装置に対し冷却ファンの冷却風量を容易に調整することができる。また、光変調装置毎に冷却ファンが設けられるとともに、これら冷却ファンが送風ダクトで接続されるので、各冷却ファンを小型化することができるとともに、筐体内の空きスペースを有効に利用して冷却ファンを取り付けることが容易になる。
【００１１】
請求項３に記載の発明は、請求項１又は２記載の投写型映像表示装置において、前記複数の光変調装置のうちの少なくとも一つの光変調装置については、前記光学部品の表面における冷却すべき範囲に向けて冷却風を水平に吹き出すことができるように、冷却風吹出口が光変調装置の側方に形成されるとともに、前記複数の光変調装置のうちの少なくとも一つの光変調装置については、前記光学部品の表面における冷却すべき範囲に向けて冷却風を鉛直方向に吹き出すことができるように冷却風吹出口が光変調装置の上方又は下方に形成されていることを特徴とする。
【００１２】
上記構成によれば、側方からの水平吹出と、上方又は下方からの鉛直吹出とを使い分けして光変調部材の冷却を行うことができるので、冷却ファン、送風ダクト、排気通路などのレイアウト設計に自由度を持たせることができ。
【００１３】
請求項４に記載の発明は、請求項１又は２記載の投写型映像表示装置において、前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、さらに、各光変調装置の側方に、冷却風吹出口が形成された鉛直方向のダクト部分が配置され、各光変調装置を構成する光学部品の表面における冷却すべき範囲に向けて冷却風が水平方向に吹き付けられるように構成されていることを特徴とする。
【００１４】
上記構成によれば、コの字形に配置される光変調装置間のコーナ部の空きスペースを利用して冷却風吹出口を設けることができる。したがって、スペースの有効利用を図ることができる。また、全ての光変調装置を構成する光学部品の表面に沿って冷却風が水平方向に吹き付けられるので、吹出風量の抑制量が大きく、節減効果が大きくなる。
【００１５】
請求項５に記載の発明は、請求項１〜４の何れか１項に記載の投写型映像表示装置において、前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、さらに、前記投写レンズにおける光軸と平行な方向に配置される光変調装置の内の一つにおいては、冷却風が前記冷却風吹出口から前記光学部品の表面における冷却すべき範囲に向けて水平方向に吹き付けられ、当該光学部品を冷却した後、前記投写レンズの側方に設けられた排気口より当該投写型映像表示装置の筐体の外部に排気されるように形成されていることを特徴とする。
【００１６】
上記構成によれば、前記投写レンズにおける光軸と平行な方向に配置される光変調装置の内の一つは、冷却風が水平方向に吹き付けられ、前記投写レンズの側方の外部空間に向かって水平流れのままで排気することができるので、通風抵抗を低減することができる。また、光学部品を冷却した後の加熱された排気は、ユーザの位置する可能性の低い投写レンズ側に排出されているので、排気風によるユーザへの不快感を緩和することができる。また、光学部品を冷却した後の加熱された排気は、投写レンズの側方に設けられた排気口より直接当該投写型映像表示装置の筐体の外側に排気されるので、排気ファンを設けずに排気することが可能となる。
【００１７】
請求項６に記載の発明は、請求項１〜４の何れか１項に記載の投写型映像表示装置において、前記光変調装置は、赤色光用、緑色光用、青色光用の液晶ライトバルブを備えたものであり、前記光合成装置はクロスダイクロイックプリズムであって、前記光変調装置が前記クロスダイクロイックプリズムの光入射面と対向するようにコの字形に配置され、前記投写レンズにおける光軸と平行方向に配置される二つの光変調装置それぞれにおいて、冷却風が前記冷却風吹出口から前記光学部品の表面における冷却すべき範囲に向けて水平方向に吹き付けられ、当該光学部品を冷却した後、前記投写レンズの側方に設けられた排気口より当該投写型映像表示装置の筐体の外部に排気されるように形成されていることを特徴とする。
【００１８】
上記構成によれば、前記投写レンズと平行な方向に配置される各光変調装置は、冷却風が水平方向に吹き付けられ、前記投写レンズの側方の外部空間に向かって水平流れのままで排気することができるので、通風抵抗を低減することができる。また、光学部品を冷却した後の加熱された排気は、ユーザの位置する可能性の低い投写レンズ側に排出されているので、排気風によるユーザへの不快感を緩和することができる。また、光学部品を冷却した後の加熱された排気は、投写レンズの側方に設けられた排気口より直接当該投写型映像表示装置の筐体の外側に排気されるので、排気ファンを設けずに排気することが可能となる。
【００１９】
請求項７に記載の発明は、請求項５又は６に記載の投写型映像表示装置において、前記投写レンズの側方の排気口は、排気風が投写レンズから遠ざかる方向に向くように斜め方向に排気されることを特徴とする。
【００２０】
上記構成によれば、排気風が投写レンズから遠ざかる方向に排気されることにより、熱気による投写映像に対する悪影響を回避することができる。
【発明の効果】
【００２１】
本発明に係る投写型映像表示装置によれば、少なくとも一つの光変調装置については、
光学部品の表面における冷却すべき範囲に向けて冷却風を水平方向に吹き出すことができるように、冷却風吹出口が光変調装置の側方に形成されているので、冷却ファンの大型化、消費動力の増加を抑制することができる。また、冷却ファンと光変調装置への吹出口との間が送風ダクトで接続されているので、冷却ファンの設置場所を弾力的に設定することができるとともに、冷却ファンの吹出口を光変調装置への冷却風吹出口へ無理なく整合させることができ、ダクトによる通風抵抗を小さくすることができる。
【図面の簡単な説明】
【００２２】
【図１】本発明の実施の形態１に係る投写型映像表示装置の光学系の模式図である。
【図２】同投写型映像表示装置における光変調装置の冷却システム概念図である。
【図３】同冷却システムにおける冷却ファンの接続状態を示す模式図である。
【図４】本発明の実施の形態２に係る投写型映像表示装置における光変調装置の冷却システム概念図である。
【図５】本発明の実施の形態３に係る投写型映像表示装置における光変調装置の冷却システム概念図である。
【発明を実施するための形態】
【００２３】
（実施の形態１）
以下、本発明の実施の形態１に係る投写型映像表示装置について図１〜図３を参照しながら説明する。なお、以下の説明において、上下左右方向又は前後方向をいうときは、投写型映像表示装置を平坦な床面、机上面などに設置する正立投写設置した場合において、投写レンズ側を前面とした上下左右方向をいうものとする。なお、この方向を図１に当てはめると、図１の紙面における左右方向が左右方向となるとともに、図１の紙面に直角な方向が鉛直方向となる。なお、紙面の手前側が上方となる。
【００２４】
本実施の形態に係る投写型映像表示装置は、赤色光、緑色光及び青色光を画像情報に応じて光変調する光素子として液晶ライトバルブを用いた所謂３板式液晶プロジェクタであって、光源１としては、メタルハライドランプ、超高圧水銀ランプなどの放電型ランプが発光体として使用されている。
【００２５】
光源１からの照射された光は、リフレクタによって平行光となって出射され、インテグレータレンズ２、偏光変換装置３、コンデンサーレンズ４、反射ミラー５、リレーレンズ６を経て第１のダイクロイックミラー１０へ入射される。インテグレータレンズ２は、一対のレンズ群（フライアイレンズ）から構成され、個々のレンズ部分が光源１から出射された光を後述する光変調装置としての液晶ライトバルブ２０，３０，４０の全面に導くように構成されている。これにより光源１から出射された光に存在する部分的な輝度ムラが平均化され、画面中央と周辺部とでの光量差が低減される。
【００２６】
第１のダイクロイックミラー１０は、赤色光成分を透過させるとともに、緑色光成分及び青色光成分を反射させて分離する。赤色光成分は反射ミラー１１及びコンデンサーレンズ１２を経て赤色光用の液晶ライトバルブ２０に導かれ、分離された緑色光成分及び青色光成分は第２のダイクロイックミラー１３で緑色光成分を反射させるとともに、青色光成分を透過させて分離する。緑色光成分はコンデンサーレンズ１４を介し緑色光用の液晶ライトバルブ３０に導かれる。また、ダイクロイックミラー１３で分離された青色光成分は、リレーレンズ１５、反射ミラー１６、リレーレンズ１７、反射ミラー１８及びコンデンサーレンズ１９を経て青色光用の液晶ライトバルブ４０に導かれる。
【００２７】
また、赤色光用、緑色光用及び青色光用の液晶ライトバルブ２０，３０，４０は、それぞれ入射プリ偏光板（無機偏光板）２１，３１，４１、入射偏光板２２，３２，４２、液晶パネル２３，３３，４３、出射偏光板２４，３４，４４などの光学部品から構成されている。入射プリ偏光板２１，３１，４１は、液晶ライトバルブ３０に達する光束が楕円偏光となっているので、これを一定方向の直線偏光に偏光するものである。入射偏光板２２，３２，４２は、一定方向の偏光光のみを通過させるものであり、この入射偏光板２２，３２，４２と対を成す出射偏光板２４，３４，４４との協働作用により、液晶パネル２３，３３，４３において変調された一定方向の偏光のみを通過させるように作用する。液晶パネル２３，３３，４３は、入射する各色光の光束を画像信号に基づいて変調するものである。
【００２８】
また、これら液晶ライトバルブ２０，３０，４０は、光合成装置としてのクロスダイクロイックプリズム５０の入射面に対向するように、コノ字形に配置されている。そして、これら液晶ライトバルブ２０，３０，４０で変調された赤色光、緑色光、及び青色光は、クロスダイクロイックプリズム５０で合成され、液晶ライトバルブ２０，３０，４０が配置されていない面から投写レンズ６０へ出射される。
【００２９】
このような光学系を備えた液晶プロジェクタにおいて、液晶ライトバルブ２０，３０，４０を構成する光学部品間の隙間に冷却風を送風してこれら光学部品を冷却する冷却システムは、図２及び図３に示すように構成されている。なお、図３は、冷却システムにおける冷却ファン接続状態を示す模式図の一例であって、この図においては青色光用の液晶ライトバルブ４０を冷却する冷却システムを示すが、赤色光用の液晶ライトバルブ２０及び緑色光用の液晶ライトバルブ３０の冷却システムにおいても基本的には同様である。以下の説明においてはこの図３を代表図面として一般的に説明する。
【００３０】
液晶ライトバルブ２０，３０，４０を構成する光学部品へ冷却風を送風する冷却ファン７１は、例えば図３に示すように、ダクト接続に適しているシロッコファンが用いられている。この冷却ファン７１は、他の機器を含む機器配置としての適切な場所、例えば光学系の下方、上方、側部等の適宜のスペースが選択される。そして、図３の例に示すように、冷却ファン７１の吹出口７１ａと液晶ライトバルブ２０，３０，４０への冷却風吹出口７２との間は送風ダクト７３により連結される。このように、各色光用の液晶ライトバルブ２０，３０，４０毎に、冷却空気を送風するための冷却ファン７１及び送風ダクト７３が設けられている。また、一般に冷却ファン７１の吹出口７１ａは、液晶ライトバルブ２０，３０，４０への冷却風吹出口７２とは異なる形状及び大きさを有しており、一般には冷却ファン７１の吹出口７１ａのほうが大きい。そこで、送風ダクト７３は、このような冷却ファン７１の吹出口７１ａの形状や大きさを冷却風吹出口７２へ整合させるように、送風ダクト７３の断面形状を送風方向に向かって修正するように設定されている。
【００３１】
液晶ライトバルブ２０，３０，４０への冷却風吹出口７２は、液晶ライトバルブ２０，３０，４０を構成する光学部品における光の透過部分、すなわち冷却すべき範囲に対し、光学部品の表面に沿って冷却風を吹き付ける構造とすればよいので、その中心位置を光学部品における光の透過部分の中心位置に合致させる。また、冷却風吹出口７２の高さ方向の寸法は、光学部品における光の透過部分の高さより少し大きい程度とすればよく、光学部品の高さよりは大分小さくなる。また、液晶ライトバルブ２０，３０，４０への冷却風吹出口７２は、この実施の形態においては、クロスダイクロイックプリズム５０の四隅外側の空きスペースに設けられている。この空きスペースには、先ず、送風ダクト７３の一部をなす鉛直方向に延びる鉛直ダクト部分７３ａが配置され、さらに、この鉛直ダクト部分７３ａの上部に、冷却風吹出口７２が冷却すべき液晶ライトバルブ２０，３０、４０（この図３では青色光用の液晶ライトバルブ４０）側に突出するように形成されている。
【００３２】
この四隅の鉛直ダクト部分７３ａが配置されているのは、この実施の形態の場合は、左前方位置、左後方位置及び右後方位置の３箇所である。このうち左前方位置に配置された鉛直ダクト部分７３ａには、赤色光用の液晶ライトバルブ２０の光学部品を冷却するために、後方向７５ｒに向けて冷却風を吹き出す冷却風吹出口７２が形成されている。また、左後方位置に配置された鉛直ダクト部分７３ａには、緑色光用の液晶ライトバルブ３０の光学部品を冷却するために、右方向７５ｇに向けて冷却風を吹き出す冷却風吹出口７２が形成されている。また、右後方位置に配置された鉛直ダクト部分７３ａには、青色光用の液晶ライトバルブ４０の光学部品を冷却するために、前方向７５ｂに向けて冷却風を吹き出す冷却風吹出口７２が形成されている。
【００３３】
また、液晶ライトバルブ２０，３０，４０、クロスダイクロイックプリズム５０及び前記鉛直ダクト部分７３ａを配置した部分、すなわち、液晶ライトバルブ周辺部は、四周を囲む側面壁、底面を形成する底面壁及び天面を形成する天面壁からなる区画壁７６に囲まれている。また、区画壁７６の側面壁には、光を透過させる部分が形成されている。そして、この区画壁７６の側壁において光を通過させる部分には、各色光用のコンデンサーレンズ１２，１４，１９が配設されている。このように、液晶ライトバルブ周辺部は、区画壁７６により側面、上面及び底面が壁体により仕切られている。さらに、左後方位置の鉛直ダクト部分７３ａの上方の天面壁には、図示していないが、赤色光用の液晶ライトバルブ２０を水平方向に通過した冷却風を上方に排気するための排気口（不図示）が形成されている。同様に、右後方位置の鉛直ダクト部分７３ａの上方の天面壁には、図示していないが、緑色光用の液晶ライトバルブを水平方向に通過した冷却風を上方に排気するための排気口（不図示）が形成されている。また、前面の投写レンズ６０の右側には、青色光用の液晶ライトバルブ４０を水平方向に通過した冷却風を前方に排気するための排気口７７が形成されている。
【００３４】
この排気口７７は、青色光用の液晶ライトバルブ４０を構成する光学部品を冷却して加熱された排気風を、直接当該投写型映像表示装置の筐体Ａの外部へ直接排気するとともに、投写レンズ６０から遠ざかる斜め方向７７ｂに排気されるように、ガイド７７ａが設けられている。
【００３５】
このように構成された投写型映像表示装置においては、次のようにして光変調装置としての液晶ライトバルブ２０，３０，４０を構成する光学部品が冷却される。
投写運転が開始されると、光源１から出射された光の透過により、液晶ライトバルブ２０，３０，４０を構成する光学部品の光透過部分、すなわち冷却すべき範囲、の温度が上昇する。本投写型映像表示装置における各色光用の液晶ライトバルブ２０，３０，４０を構成する光学部品の冷却システムは、光学部品の過熱を防止するものであって、液晶ライトバルブ２０，３０，４０に冷却風を供給するための各冷却ファン７１が投写運転が開始とともに運転される。これにより各冷却ファン７１から吹き出された冷却風は、送風ダクト７３により各液晶ライトバルブ２０，３０，４０の側方に設けられた冷却風吹出口７２に搬送され、冷却風吹出口７２から水平方向に吹き出される。
【００３６】
また、この場合において、冷却風吹出口７２は、液晶ライトバルブ２０，３０，４０を構成する光学部品において高温となる光の透過部分、すなわち冷却すべき範囲に対し、光学部品の表面に沿って水平方向に冷却空気を吹き出すものである。このため、冷却風吹出口７２の中心位置が光学部品における光の透過部分の中心位置に合致するように設けられている。また、冷却風吹出口７２の高さ方向の寸法が光学部品における光の透過部分の高さより少し大きい程度とされている。
【００３７】
このように冷却風を、光学部品の表面における温度上昇部分に対し水平方向に吹き出すようにしたのは、速い吹出風速を得ようとするためである。すなわち、光学部品における光の透過範囲は水平に長いアスペクト比を持つ長方形となっている。このため、鉛直方向に拡がる冷却風の吹き出し幅は、冷却風を鉛直方向に吹き出す場合における水平方向に拡がる冷却風の吹き出し幅に比較して小さくなる。したがって、冷却風を水平方向に吹き出すようにすれば、速い風速を得ることができる。
【００３８】
また、この場合において、冷却風吹出口７２は各液晶ライトバルブ２０，３０，４０側方の空きスペースを利用するように鉛直ダクト部分７３ａの上方部に形成されている。さらに、送風ダクト７３は、冷却ファン７１の吹出口７１ａから徐々に断面形状を変えて冷却風吹出口７２に整合させるに調整するように滑らかに断面積を変化させているので、通風抵抗が小さくなるように構成されている。
【００３９】
そして、赤色光用の液晶ライトバルブ２０を構成する光学部品は、左前方位置の鉛直ダクト部分７３ａに形成された冷却風吹出口７２から後方向７５ｒに向けて水平方向に吹き出された冷却風により冷却される。この冷却風は、赤色光用の液晶ライトバルブ２０を構成する複数の光学部品の表面に沿って吹き出され、これら光学部品を冷却した後、左後方位置の鉛直ダクト部分７３ａ上方の天面壁に開口された開口部（不図示）から区画壁の外部に存在する投写型映像表示装置の筐体Ａ内の空間へ吐き出される。
【００４０】
また、緑色光用の液晶ライトバルブ３０を構成する光学部品は、左後方位置の鉛直ダクト部分７３ａに形成された冷却風吹出口７２から右方向７５ｇに向けて水平方向に吹き出された冷却風により冷却される。この冷却風は、緑色光用の液晶ライトバルブ３０を構成する複数の光学部品の表面に沿って吹き出され、これら光学部品を冷却した後、右後方位置の鉛直ダクト部分７３ａ上方の天面壁に開口された開口部（不図示）から、投写型映像表示装置の筐体Ａ内における区画壁の外部に吐き出される。
【００４１】
そして、赤色光用の液晶ライトバルブ２０を冷却した後の冷却風、及び緑色光用の液晶ライトバルブ３０を冷却した後の冷却風は、筐体Ａ内へ吐き出された後、排気ファン（不図示）により電源、光源１を冷却して加熱された空気とともに機外に排出される。
【００４２】
また、青色光用の液晶ライトバルブ４０を構成する光学部品は、右後方位置の鉛直ダクト部分７３ａに形成された冷却風吹出口７２から前方向７５ｂに向けて水平方向に吹き出された冷却風により冷却される。この冷却風は、青色光用の液晶ライトバルブ４０を構成する複数の光学部品の表面に沿って吹き出され、これら光学部品を冷却した後、投写レンズ６０の右側前面に開口された排気口７７から機外へ直接排気される。したがって、この排気の場合は、他の液晶ライトバルブ２０，３０を冷却する場合のように、当該投写型映像表示装置の筐体Ａ内を経由せずに区画壁７６内から直接筐体Ａの外部へ排気されるので、排気ファン（不図示）を使用することなく排気することができる。
【００４３】
また、排気口７７から排気される高温の空気が投写レンズ付近を漂うと、温度上昇により密度が小さくなった空気が、投写光が通過する部分の空気と混ざり合うことにより、投写レンズ周辺の空気の光屈折率が変化する。こうなると、投写光の通過する空気中の光屈折率が部分的に変化する状態となり、映像に乱れを生じる恐れがある。そこで、このような現象を回避するために、排気口７７にガイド７７ａが設けられ、青色光用の液晶ライトバルブ４０を冷却して加熱された排気風が投写レンズ６０から遠ざかる方向、すなわち斜め方向７７ｂ（この場合右斜め方向）に向けて、外部へ排気されるように構成されている。
【００４４】
実施の形態１に係るに投写型映像表示装置は、以上のように構成されているので、次のような効果を奏することができる。
（１）光学部品の表面における冷却すべき範囲に向けて冷却風を水平方向に吹き出すことができるように、冷却風吹出口７２が光変調装置としての液晶ライトバルブ２０，３０，４０の側方に形成されているので、冷却風が鉛直方向に吹き出される場合に比較して速い風速の吹出空気を得ることができる。したがって、冷却風吹出口７２からの吹き出し風速を増大させても冷却ファン７１の大型化や、消費動力の増加を抑制することができる。
【００４５】
（２）冷却ファン７１と光学部品への冷却風吹出口７２との間が送風ダクト７３で接続されているので、送風ダクト７３の形状や配置を変更することで冷却ファン７１を光学系機器の上部、下部あるいは側部など当該投写型映像表示装置の筐体Ａ内の構造に合わせた位置、向きで設置することができる。
【００４６】
（３）また、冷却ファン７１と光学部品への冷却風吹出口７２との間が送風ダクト７３で接続されているので、この送風ダクト７３の形状を途中で変化させることにより、冷却ファン７１の吹出口７１ａを冷却風吹出口７２へ無理なく整合させることができるので、冷却ファン７１からの冷却風の送風抵抗を低減することができる。
【００４７】
（４）各液晶ライトバルブ２０，３０，４０は、それぞれ個別の冷却ファン７１から送風ダクト７３を介して冷却風が供給されるように構成されているので、各液晶ライトバルブ２０，３０，４０に対する冷却風量を容易に調整することができる。
【００４８】
（５）各液晶ライトバルブ２０，３０，４０に冷却ファンが設けられるとともに、これら冷却ファン７１が送風ダクト７３で接続されるので、各冷却ファン７１を小型化することができるとともに、筐体Ａ内の空きスペースを有効に利用して各冷却ファン７１を取り付けることが容易になる。
【００４９】
（６）各液晶ライトバルブ２０，３０，４０がクロスダイクロイックプリズム５０の光入射面と対向するようにコの字形に配置されるとともに、各液晶ライトバルブ２０，３０，４０の側方に冷却風吹出口７２が形成された鉛直ダクト部分７３ａが配置されている。したがって、各液晶ライトバルブ２０，３０，４０間の空きスペースを有効に利用することができる。
【００５０】
（７）青色光用の液晶ライトバルブ４０の冷却において、冷却風吹出口７２から前方向７５ｂに向けて水平方向に吹き出された冷却風が、液晶ライトバルブ４０を構成する光学部品を冷却した後、投写レンズ６０の側方に設けられた排気口７７より投写型映像表示装置の筐体Ａの外部に直接排気されるように形成されている。したがって、冷却風が水平流れのままで排気されるので、通風抵抗を低減することができる。また、排気がユーザの位置する可能性の低い投写レンズ６０側に排出されるので、排気風によるユーザへの不快感を緩和することができる。また、投写レンズ６０の右側方に設けられた排気口７７より当該投写型映像表示装置の筐体Ａの外側に直接排気されるので、排気ファンを設けずに排気することが可能となる。
【００５１】
（８）投写レンズ６０の右側方の排気口７７は、排気風が投写レンズ６０から遠ざかる方向に向くように斜め方向７７ｂに排気されるので、熱気による投写映像に対する悪影響を回避することができる。
【００５２】
（実施の形態２）
次に実施の形態２について、図４に基づき説明する。
本実施の形態は、実施の形態１において、赤色光用の液晶ライトバルブ２０及び緑色光用の液晶ライトバルブ３０への冷却風の吹き付け方法を変更したものである。なお、図４において、実施の形態１と同一の構成要素には同一の符号を付し、その説明を省略する。
【００５３】
赤色光用の液晶ライトバルブ２０に対する冷却風を吹き出す冷却風吹出口７２は、左後方位置のコーナ部に配置された鉛直ダクト部分７３ａの上方部にあって、赤色光用の液晶ライトバルブ２０に向けて冷却風を水平に吹き付けるように取り付けられている。そして、冷却風がこの冷却風吹出口７２から前方向８１ｒに向けて水平方向に吹き出されている。そして、前面の投写レンズ６０の左側には、赤色光用の液晶ライトバルブ２０を水平方向に通過した冷却風を前方に排気するための排気口８２が形成されている。
【００５４】
この排気口８２は、赤色光用の液晶ライトバルブ２０を構成する光学部品を冷却して加熱された排気風が、直接当該投写型映像表示装置の筐体Ａの外部へ直接排気されるとともに、投写レンズ６０から遠ざかる斜め方向８２ｂに排気されるように、ガイド８２ａが設けられている。
【００５５】
一方、緑色光用の液晶ライトバルブ３０に対する冷却風は、従来一般のものと同様に、区画壁７６の底面壁に設けられた冷却風吹出口８３から上方に向けて吹き出され、区画壁７６上方の天面壁に設けれた排出口（不図示）から、筐体Ａ内に排出されるように構成されている。なお、青色光用の液晶ライトバルブ４０に対する冷却風の吹き付けは、実施の形態１のものと同様である。
【００５６】
実施の形態２は、以上のように構成されているので、液晶ライトバルブ２０，３０，４０を構成する光学部品が次のようにして冷却される。
赤色光用の液晶ライトバルブ２０を構成する光学部品は、左後方位置に配置された鉛直ダクト部分７３ａに取り付けられた冷却風吹出口７２から冷却風が前方向８１ｒに向けて水平に吹き出される。冷却風吹出口７２からの冷却風の吹出幅は、光学部品において高温となる光透過部分、すなわち冷却すべき範囲の高さより若干大きい程度とされている。そして、冷却風は、赤色光用の液晶ライトバルブ２０を構成する光学部品を冷却した後、投写レンズ６０の左側前面に開口された排気口８２から機外へ直接排気される。したがって、この排気の場合は、当該投写型映像表示装置の筐体Ａ内を経由せずに区画壁７６内から直接筐体Ａの外部へ排気されるので、排気ファン（不図示）を使用することなく排気することができる。
【００５７】
また、排気口８２から排気される高温の空気が投写レンズ６０付近を漂うと、前記右側の排気口７７から青色光用の液晶ライトバルブ４０を冷却して加熱された排気が排出されることにより映像が乱れることを防止するのと同様の理由により、排気口８２にガイド８２ａが設けられている。これにより、赤色光用の液晶ライトバルブ２０を冷却して加熱された排気風が、投写レンズ６０から遠ざかる方向、すなわち斜め方向８２ｂ（この場合左斜め方向）に向けて、直接外部へ排気されるように構成されている。
【００５８】
一方、緑色光用の液晶ライトバルブ３０における冷却は、区画壁７６の底面壁に設けられた冷却風吹出口８３から鉛直方向上方に向かって吹き出される冷却風により冷却される。冷却風吹出口８３からの冷却風の吹出幅は、光学部品において高温となる部分、すなわち光透過部分の水平長さより若干大きい程度とされている。そして、冷却風は、緑色光用の液晶ライトバルブ３０を構成する光学部品を冷却した後、区画壁７６の天面壁に形成された排出口（不図示）から、筐体Ａ内に排出される。なお、筐体Ａ内に排出された冷却風は、排気ファン（不図示）により電源、光源１を冷却して加熱された空気とともに機外に排出される。
【００５９】
本実施の形態に係る投写型映像表示装置は、以上のように構成されているので、前述の実施の形態１に係る（２）〜（５）、（７）及び（８）の効果と同様の効果を奏することができる。また、これに加え次の効果を奏することができる。
【００６０】
（９）赤色光用の液晶ライトバルブ２０及び青色光用の液晶ライトバルブ４０の光学部品の冷却は、左後方位置に配置された鉛直ダクト部分７３ａ及び右後方位置に配置された鉛直ダクト部分７３ａに取り付けられた冷却風吹出口７２から水平方向に、かつ前向き８１ｒ、７５ｂに吹き出される冷却風により冷却される。したがって、これら液晶ライトバルブ２０，４０の冷却に関しては、冷却風が鉛直方向に吹き出される場合に比較して速い風速の吹出空気を得ることができ、冷却風吹出口７２からの吹き出し風速を増大させても冷却ファン７１の大型化や、消費動力の増加を抑制することができる。
【００６１】
（１０）緑色光用の液晶ライトバルブ３０の光学部品の冷却は、光学部品の表面における冷却すべき範囲に向けて冷却風を下方から上方への鉛直方向に冷却風を吹き出すように形成されているので、内部機器の配置によりこの方がレイアウト設計上好ましい場合に、この配置を採用することができる。
【００６２】
（１１）各液晶ライトバルブ２０，３０，４０がクロスダイクロイックプリズム５０の光入射面と対向するようにコの字形に配置されるとともに、赤色光用の液晶ライトバルブ２０と緑色光用の液晶ライトバルブ３０との間のコーナ部に赤色光用の鉛直ダクト部分７３ａが配置されている。また、緑色光用の液晶ライトバルブ３０と青色光用の液晶ライトバルブ４０との間のコーナ部に青色光用の鉛直ダクト部分７３ａが配置されている。したがって、各液晶ライトバルブ２０，３０，４０間の空きスペースを有効に利用して、水平吹出用の冷却風吹出口が７２が形成されている。
【００６３】
（１２）赤色光用の液晶ライトバルブ２０の冷却において、冷却風吹出口７２から水平方向に吹き出された冷却風が、液晶ライトバルブ２０を構成する光学部品を冷却した後、投写レンズ６０の左側方に設けられた排気口８２より投写型映像表示装置の筐体Ａの外部に直接排気されるように形成されている。したがって、赤色光用の液晶ライトバルブ２０を冷却する冷却風が水平流れのままで排気されるので、通風抵抗を低減することができる。また、この排気がユーザの位置する可能性の低い投写レンズ６０側に排出されるので、排気風によるユーザへの不快感を緩和することができる。また、投写レンズ６０の左側方に設けられた排気口８２より当該投写型映像表示装置の筐体Ａの外側に直接排気されるので、排気ファンを設けずに排気することが可能となる。この効果は、青色光用の液晶ライトバルブ４０を冷却する場合と同様の効果である。
【００６４】
（１３）投写レンズ６０の左側方の排気口８２は、排気風が投写レンズ６０から遠ざかる方向に向くように斜め方向８２ｂに排気されるので、熱気による投写映像に対する悪影響を回避することができる。この効果は、青色光用の液晶ライトバルブ４０を冷却する場合と同様の効果である。
【００６５】
（実施の形態３）
次に実施の形態３について、図５に基づき説明する。
本実施の形態は、実施の形態１において、赤色光用の液晶ライトバルブ２０への冷却風の吹き付け方法を変更したものである。なお、図５において、実施の形態１と同一の構成要素には同一の符号を付し、その説明を省略する。
【００６６】
この実施の形態においては、赤色光用の液晶ライトバルブ２０に対する冷却風を下方から上方に向けて鉛直方向に吹き付けるように、区画壁７６の下面に冷却風吹出口９１が設けられている。また、この冷却風吹出口９１と対象的な位置になる上面に冷却風の排出口（不図示）が設けられている。また、この冷却風吹出口９１に対し冷却風を送付する冷却ファン及び送風ダクトは、実施の形態１の場合と同様に個別に形成されている。また、液晶ライトバルブ３０及び青色光用の液晶ライトバルブ４０の冷却等のその他の構成は、実施の形態１の場合と同様である。
【００６７】
実施の形態３は、以上のように構成されているので、液晶ライトバルブ２０，３０，４０を構成する光学部品が次のようにして冷却される。
先ず、緑色光用の液晶ライトバルブ３０及び青色光用の液晶ライトバルブ４０の冷却は、実施の形態１の場合と変化がなく、実施の形態１の場合と同様に行われる。
【００６８】
赤色光用の液晶ライトバルブ２０を構成する光学部品の冷却は、区画壁７６の底面壁に設けられた冷却風吹出口９１から鉛直方向上方に向けて吹き出される冷却風により冷却される。冷却風吹出口９１からの冷却風の吹出幅は、光学部品において高温となる光透過部分、すなわち冷却すべき範囲、の水平長さより若干大きい程度とされている。そして、冷却風は、赤色光用の液晶ライトバルブ２０を構成する光学部品を冷却した後、区画壁７６の天面壁に形成された排出口（不図示）から、筐体Ａ内に排出される。なお、筐体Ａ内に排出された冷却風は、排気ファン（不図示）により電源、光源１を冷却して加熱された空気とともに機外に排出される。
【００６９】
本実施の形態に係る投写型映像表示装置は、以上のように構成されているので、前述の実施の形態１に係る（２）〜（５）、（７）及び（８）の効果と同様の効果を奏することができる。また、これに加え次の効果を奏することができる。
【００７０】
（１４）緑色光用の液晶ライトバルブ３０及び青色光用の液晶ライトバルブ４０の光学部品の冷却は、実施の形態１の場合と同様に、左後方位置に配置された鉛直ダクト部分７３ａ及び右後方位置に配置された鉛直ダクト部分７３ａに取り付けられた冷却風吹出口７２から水平方向に吹き出される冷却風により冷却されている。したがって、これら冷却に関しては、実施の形態１の場合と同様に速い風速の吹出空気を得ることができ、冷却風吹出口７２からの吹き出し風速を増大させても冷却ファン７１の大型化や、消費動力の増加を抑制することができる。
【００７１】
（１５）赤色光用の液晶ライトバルブ３０の光学部品の冷却は、光学部品の表面における冷却すべき範囲に向けて冷却風を下方から上方への鉛直方向に冷却風を吹き出すように形成されているので、内部機器の配置によりこの方がレイアウト設計上好ましい場合に、この配置を採用することができる。
【００７２】
（変形例）
本発明は、上記実施の形態において以下のように変更することもできる。
・上記実施の形態２及び実施の形態３において、実施の形態１における液晶ライトバルブ２０，３０，４０のうちの緑色光用の液晶ライトバルブ３０及び赤色光用の液晶ライトバルブの冷却を下方から上方に向けて鉛直方向に冷却風を吹き出す方式について記載しているが、これに限るものではない。すなわち、本発明は、液晶ライトバルブ２０，３０，４０のうちの少なくとも一つの液晶ライトバルブにおいて、冷却風を水平方向に吹き出すものであれば良く、実施の形態１において、青色光用の液晶ライトバルブ４０について冷却風を鉛直方向に吹き出すようにしてもよい。また、これ液晶ライトバルブ２０，３０，４０のうち二つの液晶ライトバルブについて冷却風を鉛直方向に吹き出すようにしたものでもよい。また、鉛直方向に冷却風を吹き出す場合において、下から上方向に向けて吹き出されるものに限定されない。したがって、上から下方に向けて吹き出すようにしたものでもよい。
【００７３】
・上記各実施の形態は３板式液晶プロジェクタとしているが、他の形式の液晶プロジェクタとしてもよい。
・また、上記各実施の形態においては、全ての液晶ライトバルブの冷却それぞれに専用の冷却ファンを用いているが、二つ以上の液晶ライトバルブの冷却と兼用するものとしてもよい。
【００７４】
・また、上記各実施の形態においては、水平方向に吹き出す冷却風吹出口７２がそれぞれ別個の鉛直ダクト部分７３ａの上方に取り付けられているが、一つの鉛直ダクト部分７３ａに複数、例えば二つの冷却風吹出口を設けるようにしてもよい。より具体的には、実施の形態１において、左前方位置の鉛直ダクト部分７３ａを廃止し、左後方位置の鉛直ダクト部分７３ａの前方側面に冷却風吹出口７２を追加したものとしてもよい。
【００７５】
・各実施の形態において、区画壁７６は、四周を囲む側面壁と底面を形成する底面壁と、天面を形成する天面壁とからなる構成としているが、上方部に大きなスペースを必要としない場合、或いは、他の機器により天面が実質的にほぼ覆われるような構成になる場合には、覆われている機器又は筐体Ａの天面により、この区画壁の天面を省略してもよい。
【符号の説明】
【００７６】
Ａ…筐体、２０，３０，４０…液晶ライトバルブ、５０…（光合成装置としての）クロスダイクロイックプリズム、６０…投写レンズ、７１…冷却ファン、７１ａ…吹出口、７２，８３．９１…冷却風吹出口、７３…送風ダクト、７３ａ…（鉛直方向のダクト部分）鉛直ダクト部分、７７，８２…排気口、７７ｂ，８２ｂ…斜め方向。
【図１】
2012230333.tif 000003
【図２】
2012230333.tif 000004
【図３】
2012230333.tif 000005
【図４】
2012230333.tif 000006
【図５】
2012230333.tif 000007